(57)【要約】【課題】携帯端末の使用者が携帯端末使用禁止地域から脱した際に、携帯端末の電源がＯＦＦのままのとき使用者にその旨を通知したり、携帯電話機を通信可能な状態とするには、面倒な設定や基地局の改造が必要であった。【解決手段】携帯端末の電源をＯＦＦとしたときの位置情報をデータ記憶装置に記憶しておき、携帯端末の電源をＯＦＦとした時から予め設定された時間を計測し、前期予め設定された時間が経過したときに位置を測位して、この測位した位置情報と前記データ記憶装置に記憶されている電源をＯＦＦとしたときの位置情報とを比較し、これらの距離が予め決められた距離以上の場合に通知を行う。【選択図】      図１
2008278395.tif 000002
【特許請求の範囲】
【請求項１】
携帯端末の電源をＯＦＦとしたときの位置情報を記憶するデータ記憶装置と、
携帯端末の電源をＯＦＦとした時から予め設定された時間の計測を行う電源ＯＦＦ通知タイマと、
携帯端末が移動したことを示す通知を行う鳴動装置と、
携帯端末の電源をＯＦＦとしたときに前記データ記憶装置に位置情報を保存し、前記電源ＯＦＦ通知タイマを起動し、前記電源ＯＦＦタイマから予め設定した時間が経過したとの通知を受けたときに位置を測位し、この測位した位置情報と前記データ記憶装置に記憶されている電源をＯＦＦとしたときの位置情報とを比較し、これらの距離が予め決められた距離以上の場合に前記鳴動装置に通知を行うよう指示するデータ処理装置と
を有することを特徴とする携帯端末。
【請求項２】
前記鳴動装置が通知をした後に、携帯端末の電源がＯＮされない場合、前記データ処理装置が電源ＯＦＦ通知タイマを再び起動することを特徴とする請求項１記載の携帯端末。
【請求項３】
前記データ処理装置における位置情報の比較の結果、これらの距離が予め決められた距離より小さい場合、前記データ処理装置が、前記鳴動装置に対して通知を行うように指示をせず電源ＯＦＦ通知タイマを再び起動することを特徴とする請求項１または２の請求項に記載の携帯端末。
【請求項４】
ユーザが任意に決定した前記鳴動装置による通知の手段または判断基準を前記データ記憶装置に記憶することを特徴とする請求項１から３の何れか一の請求項に記載の携帯端末。
【請求項５】
携帯端末の位置はＧＰＳ装置を用いて測位することを特徴とする請求項１から４の何れか一の請求項に記載の携帯端末。
【請求項６】
携帯端末の電源をＯＦＦとしたときの位置情報をデータ記憶装置に記憶する記憶ステップと、
携帯端末の電源をＯＦＦとした時から予め設定された時間の計測を行う計測ステップと、
前期予め設定された時間が経過したときに位置を測位する測位ステップと、
この測位した位置情報と前記データ記憶装置に記憶されている電源をＯＦＦとしたときの位置情報とを比較する比較ステップと、
これらの距離が予め決められた距離以上の場合に通知を行う通知ステップと
を有することを特徴とする通知方法。
【請求項７】
前記通知ステップの後に携帯端末の電源がＯＮされない場合、前記計測ステップを再び行うことを特徴とする請求項６記載の通知方法。
【請求項８】
前記比較ステップにおける比較の結果、これらの距離が予め決められた距離より小さい場合、通知を行わないステップを有することを特徴とする請求項６または７の請求項に記載の通知方法。
【請求項９】
ユーザが任意に決定した前記通知の手段または判断基準を前記データ記憶装置に記憶することを特徴とする請求項６から８の何れか一の請求項に記載の通知方法。
【請求項１０】
携帯端末の位置はＧＰＳ装置を用いて測位することを特徴とする請求項６から９の何れか一の請求項に記載の通知方法。
【請求項１１】
携帯端末の電源をＯＦＦとしたときの位置情報をデータ記憶装置に記憶する処理と、
携帯端末の電源をＯＦＦとした時から予め設定された時間の計測を行う処理と、
前期予め設定された時間が経過したときに位置を測位する処理と、
この測位した位置情報と前記データ記憶装置に記憶されている電源をＯＦＦとしたときの位置情報とを比較する処理と、
これらの距離が予め決められた距離以上の場合に通知を行う処理と
をコンピュータに実施させることを特徴とするプログラム。
【発明の詳細な説明】
【技術分野】
【０００１】
本発明は、携帯端末に関し、特に、電源をＯＦＦとした位置と、所定時間経過後の位置とが離れているときに、携帯端末が移動したと判断しその旨を通知する携帯端末に関する。
【背景技術】
【０００２】
病院等では、携帯電話機の発信する電波が医療機器等に与える影響を考え、携帯電話機の電源をＯＦＦとするように規制されている。
【０００３】
従来は、使用禁止地域に入った際に携帯電話機の電源をＯＦＦとしたことを使用者が忘れてしまい、携帯電話機の使用を禁止されている地域から離れても携帯電話機の電源をＯＮとしないままとした場合、電話やメールを受け取ることができないという問題があった。
【０００４】
このような問題点を解決する技術が特許文献１または特許文献２に記載されている。
【０００５】
特許文献１（特開２００２−２２８１１２２）では、使用者があらかじめ設定した時刻にアラームを通知することにより、電源ＯＦＦの状態を知らせる携帯電話機について開示されている。
【０００６】
また、特許文献２（特開２００２−３２０２６４）では、基地局が予め携帯電話機の使用が禁止されている地域の情報（着信拒否地域リスト）を有している。そして、携帯電話機が着呼要求を受けた際には、自らの位置をＧＰＳ（Global Positioning System）を使用して求め、自らが使用が禁止されている地域にいるか否かを判断し、使用が禁止されている地域にいる場合には着信せず、着信拒否メッセージを発信側携帯端末に送信するシステムについて開示されている。
【０００７】
【特許文献１】特開２００２−２８１１２２号公報
【特許文献２】特開２００２−３２０２６４号公報
【発明の開示】
【発明が解決しようとする課題】
【０００８】
特許文献１記載の携帯電話機を用いて、携帯電話機が使用禁止地域を脱したときに携帯電話機の電源をＯＮとする場合には、使用者があらかじめ使用禁止地域を離れる時刻を予測、設定する必要がある。また使用禁止地域への滞在時間が不明な場合あるいは滞在時間が延びた場合は、不要な通知が行われることや、再度通知の設定を行う必要があるといった問題があった。
【０００９】
特許文献２記載のシステムを用いて、携帯電話機が使用禁止地域を脱したときに携帯電話機での通信（着呼）を可能とするためには、予め全ての基地局が配下のエリア内の使用禁止地域の位置情報を保持していなければならず、基地局の改造が必要となり、基地局への負荷も増大するといった問題があった。
［発明の目的］
本発明は上記事情に鑑みてなされたものであり、本発明の目的は、上述した従来の課題を解決する携帯端末、通知方法およびプログラムを提供することにある。
【課題を解決するための手段】
【００１０】
本発明の携帯端末は、携帯端末の電源をＯＦＦとしたときの位置情報を記憶するデータ記憶装置と、携帯端末の電源をＯＦＦとした時から予め設定された時間の計測を行う電源ＯＦＦ通知タイマと、携帯端末が移動したことを示す通知を行う鳴動装置と、携帯端末の電源をＯＦＦとしたときに前記データ記憶装置に位置情報を保存し、前記電源ＯＦＦ通知タイマを起動し、前記電源ＯＦＦタイマから予め設定した時間が経過したとの通知を受けたときに位置を測位し、この測位した位置情報と前記データ記憶装置に記憶されている電源をＯＦＦとしたときの位置情報とを比較し、これらの距離が予め決められた距離以上の場合に前記鳴動装置に通知を行うよう指示するデータ処理装置とを有することを特徴とする。
【００１１】
本発明の通知方法は、携帯端末の電源をＯＦＦとしたときの位置情報をデータ記憶装置に記憶するステップと、携帯端末の電源をＯＦＦとした時から予め設定された時間の計測を行うステップと、前期予め設定された時間が経過したときに位置を測位するステップと、この測位した位置情報と前記データ記憶装置に記憶されている電源をＯＦＦとしたときの位置情報とを比較するステップと、これらの距離が予め決められた距離以上の場合に通知を行うステップとを有することを特徴とする。
【００１２】
本発明のプログラムは、携帯端末の電源をＯＦＦとしたときの位置情報をデータ記憶装置に記憶する処理と、携帯端末の電源をＯＦＦとした時から予め設定された時間の計測を行う処理と、前期予め設定された時間が経過したときに位置を測位する処理と、この測位した位置情報と前記データ記憶装置に記憶されている電源をＯＦＦとしたときの位置情報とを比較する処理と、これらの距離が予め決められた距離以上の場合に通知を行う処理とをコンピュータに実施させることを特徴とする。
【発明の効果】
【００１３】
本発明では、携帯端末の電源をＯＦＦとしたときの位置情報と予め設定された時間経過後の位置情報とを比較し、両位置間の距離が予め決められた距離以上の場合に通知を行う。これにより、携帯端末の使用が禁止されているため電源をＯＦＦとした場所から移動したときに、携帯端末の電源がＯＦＦのままとなっていることを、使用者が知ることができるので、使用者は電源をＯＮすることができ、電源ＯＦＦのままとなっていることにより電話やメール等の連絡を逃すことを防止することが可能となる。
【発明を実施するための最良の形態】
【００１４】
本発明の第１の実施形態を図面を用いて説明する。
【００１５】
図１は、本発明の第１の実施形態における携帯電話機の構成を示す図である。図１に示すように、本発明の携帯電話機等の携帯端末（以下では、携帯端末の一例として携帯電話機を用いて説明する）は、キーボード等の入力装置１と、ディスプレイ装置等の出力装置２と、音声またはデータの送受信を行う通信装置３と、スピーカ、バイブレータ等の鳴動装置４と携帯電話機の現在の位置情報を取得可能なGPS装置５と、携帯電話機の動作を制御するデータ処理装置６と、各種データを保存するデータ記憶装置１２とを含む。
【００１６】
データ処理装置６は、音声やデータの送受信を行う通信装置３を制御する通信制御部７と、スピーカやバイブレータ等の鳴動装置４の制御を行う鳴動制御部８と、携帯電話機の各部の電源を制御する電源制御部９と、設定された時間経過後に電源制御部に通知を行う電源ＯＦＦ通知タイマ１０とを有する。
【００１７】
データ記憶装置１２は、電源ＯＦＦ時に測位した携帯電話機の位置情報を記憶する電源ＯＦＦ時位置情報記憶領域１３を有する。
【００１８】
次に、本発明の第１の実施形態の動作について図１から図４を用いて詳細に説明する。
【００１９】
図２は携帯電話機の電源をＯＦＦとする際の動作を示す。
【００２０】
使用者が電源ＯＦＦの操作を行った際に、データ処理装置６は、使用者に携帯電話機の電源がＯＦＦとなっていることを知らせるための電源ＯＦＦ通知を行うか否かの選択を行う画面を出力装置２に表示させ、入力装置１からの使用者の入力を促す（ステップＡ１１）。
【００２１】
使用者が電源ＯＦＦ通知を行うことを選択した場合、ＧＰＳ装置５は、携帯電話機の現在位置を測位し、この位置情報を電源ＯＦＦ時位置情報記憶領域１３に保存する（ステップＡ１２）。
【００２２】
位置情報を保存後、データ処理装置６は、電源ＯＦＦ通知タイマ１０をセットし（ステップＡ１３)、携帯電話機の電源をＯＦＦとする（Ａ１４）。
【００２３】
図３は電源ＯＦＦの通知を行う際の動作を示す。
【００２４】
電源ＯＦＦ通知タイマ１０に設定された時間が経過したら（ステップＡ２１でＹｅｓ）、電源ＯＦＦ通知タイマ１０は、電源制御部９に設定時間経過を知らせる通知を送る（ステップＡ２２）。
【００２５】
電源制御部９は、上記通知を受け取ったら通信装置３を除く箇所の電源をＯＮとする。この際、医療機器等に影響を及ぼす恐れがある電波を送信する通信装置３の電源はＯＦＦのままとする（ステップＡ２３）。
【００２６】
上述の電源をＯＮとする処理実行後、データ処理装置６は、ＧＰＳ装置５が測位した現在の位置（ステップＡ２４）と、電源ＯＦＦ時位置情報記憶領域１３に保存されている位置情報と比較する（ステップＡ２５）。位置情報を比較した結果、現在の位置と保存されている位置とが予め決められた距離以上離れている場合は、データ処理装置６は、使用者が電波の影響により携帯電話機の使用を禁じられた場所から移動したものと判断し（ステップＡ２５でＹｅｓ）、電源がＯＦＦのままであることを通知するための鳴動等を行うために鳴動装置４を制御する（ステップＡ２６）。
【００２７】
現在の位置と保存されている位置とが予め決められた距離以下の場合（ステップＡ２５でＮｏ）は、データ処理装置６は、携帯電話機の使用を禁じられた場所から移動していないものと判断し、鳴動等の電源ＯＦＦ通知は行わせない。
【００２８】
データ処理装置６は、現在の位置と保存されている位置との比較（携帯電話機が移動したか否かの比較）、必要に応じて鳴動等を行わせた後、電源ＯＦＦ通知タイマ１０を再度セットし（ステップＡ２７）、電源ＯＦＦ処理（ステップＡ２１からステップＡ２７までの動作）を行う（ステップＡ２８）。
【００２９】
ここで、電源ＯＦＦタイマ１０を再度設定することにより、使用者が電源ＯＦＦを行った場所から予め設定された距離以上移動してから電源をＯＮにするまで、一定時間ごとに電源がＯＦＦのままであることが通知可能となる。
【００３０】
図４は電源ＯＦＦ後の流れを示す。
【００３１】
電源ＯＦＦ後から、電源ＯＦＦ通知タイマ１０の設定時間であるＸ時間が経過するまでの間は、電源ＯＦＦ通知タイマ１０のみが動作する。
【００３２】
Ｘ時間経過後、ＧＰＳ装置５が現在の位置情報を取得し、電源をＯＦＦした位置から予め設定された距離以上移動していない場合は、データ処理装置６は、再度電源ＯＦＦ通知タイマ１０を設定し、電源ＯＦＦ通知タイマ以外の携帯電話機の電源をＯＦＦとする。
【００３３】
Ｘ時間経過後、携帯電話機が予め設定した距離以上移動している場合は、データ処理装置６は、鳴動装置４に電源がＯＦＦであることを示す鳴動等を行わせた後、再度電源ＯＦＦ通知タイマ１０を設定し、電源ＯＦＦ通知タイマ以外の携帯電話機の電源をＯＦＦとする。
【００３４】
上記の動作を使用者が携帯電話機の電源をＯＮにするまで継続する。
【００３５】
次に、本発明の第２の実施形態を図面を用いて説明する。
【００３６】
図５は、本発明の第２の実施形態における携帯電話機の構成を示す図である。ここでは、第１の実施形態と同じ構成部分には同じ番号をふり、その説明は省略する。
【００３７】
図５を参照すると、第２の実施形態の携帯電話機は、データ記憶装置１２内に電源ＯＦＦ通知方式記憶領域１４を有する。
【００３８】
電源ＯＦＦ通知方式記憶領域１４には、使用者により予め設定された電源ＯＦＦ時のＧＰＳの測位間隔、移動したと判断する距離等の判断基準、通知の手段（鳴音させる音、バイブレータの振動パターン等）、鳴動の時間等の、電源ＯＦＦ通知に関する設定が記憶されている。
【００３９】
使用者が携帯電話機の電源をＯＦＦとし、電源ＯＦＦ通知の要否を選択する際、電源ＯＦＦ通知方式記憶領域１４に保存されている設定を使用するか、個別に電源ＯＦＦ通知の方法を設定するか選択可能とする。
【００４０】
本機能により、電源ＯＦＦ時の状況による通知方法を使用者の要求に応じて変更可能とする。
【００４１】
以上説明した第１、第２の実施形態では、第一に、携帯電話機の電源をＯＦＦとしたときの位置情報と予め設定された時間経過後の位置情報とを比較し、両位置間の距離が予め決められた距離以上の場合に通知を行う。これにより、携帯電話機の使用が禁止されているため電源をＯＦＦとした場所から移動したときに、携帯電話機の電源がＯＦＦのままとなっていることを、使用者が知ることができるので、使用者は携帯電話機の電源をＯＮとすることができ、電源ＯＦＦのままとなっていることにより電話やメール等の連絡を逃すことを防止することが可能である。
【００４２】
また、第二に、位置情報の取得、電源ＯＦＦの通知を行う際に、通信装置３の電源をＯＦＦのままとするので、電波の影響が懸念される場所でも電波を発生させずに本機能を実施することが可能である。
【００４３】
以上の説明では、本発明はハードウェア的に実現されることを前提として説明してきた。しかし、本発明の各機能は、ＣＰＵに読み込ませたプログラムによっても実現可能である。
【図面の簡単な説明】
【００４４】
【図１】本発明の第１の実施形態における携帯電話機のブロック図
【図２】本発明における電源ＯＦＦ時の動作を示すフローチャート
【図３】本発明における電源ＯＦＦ通知時の動作を示すフローチャート
【図４】本発明の動作を示すシーケンス図
【図５】本発明の第２の実施形態における携帯電話機のブロック図
【符号の説明】
【００４５】
１    入力装置
２    出力装置
３    通信装置
４    鳴動装置
５    ＧＰＳ装置
６    データ処理装置
７    通信制御部
８    鳴動制御部
９    電源制御部
１０    電源ＯＦＦ通知タイマ
１２    データ記憶装置
１３    電源ＯＦＦ時位置情報記憶領域
１４    電源ＯＦＦ通知方式記憶領域
【図１】
2008278395.tif 000003
【図２】
2008278395.tif 000004
【図３】
2008278395.tif 000005
【図４】
2008278395.tif 000006
【図５】
2008278395.tif 000007